(57)【要約】【課題】前後方向の傾斜の調整を行える棚板が壁面に固定され、その棚板の下方に電気機器が設けられた棚装置において、棚板を見栄えよく壁面に取り付けることができ、かつ電気機器等の水濡れを防止できる棚装置を提供すること。【解決手段】壁面２に突設された取付金具３により棚板４が下方側から支持されるとともに、棚板４の下方に電気機器７が設けられ、棚板４と取付金具３との間に、取付金具３に対する棚板４の前後方向の傾斜角度の調整手段１２が設けられた棚装置１であって、棚板４には、棚板４の表面を覆う表面板８が設けられており、表面板８は、棚板４の上面を覆う上面部と、棚板４の前端面及び左右側端面を覆う側周面部２６と、を少なくとも有し、側周面部２６の下端は、少なくとも棚板４の下面よりも下方位置まで延設され、側周面部２６により取付金具３及び電気機器７の少なくとも一部が隠蔽されるようになっている。【選択図】図３
2007289317.tif 000002
【特許請求の範囲】
【請求項１】
壁面に突設された取付金具により棚板が下方側から支持されるとともに、該棚板の下方に電気機器が設けられ、前記棚板と前記取付金具との間に、該取付金具に対する前記棚板の前後方向の傾斜角度の調整を行う調整手段が設けられた棚装置であって、
前記棚板には、該棚板の表面を覆う表面板が設けられており、該表面板は、前記棚板の上面を覆う上面部と、前記棚板の前端面及び左右側端面を覆う側周面部と、を少なくとも有し、該側周面部の下端は、少なくとも前記棚板の下面よりも下方位置まで延設され、該側周面部により前記取付金具及び前記電気機器の少なくとも一部が隠蔽されるようになっていることを特徴とする棚装置。
【請求項２】
前記調整手段が、前記棚板の下方側からの操作によって前記棚板の前後方向の傾斜角度の調整を行うことができることを特徴とする請求項１に記載の棚装置。
【請求項３】
前記調整手段が、前記取付金具の前端側に設けられた上下方向に貫通する雌ネジ穴と、該雌ネジ穴よりも下端に設けられた操作部を介して回転させることで前記棚板が上下動するように、前記雌ネジ穴に螺入されたネジ部材と、から構成されていることを特徴とする請求項１または２に記載の棚装置。
【請求項４】
前記側周面部の下端に、内方に向けて屈曲された屈曲部が形成されていることを特徴とする請求項１ないし３のいずれかに記載の棚装置。
【請求項５】
前記取付金具は、前記棚板の下面の左右側部を支持する左右一対の取付金具からなり、該取付金具が前記屈曲部内に配置されることを特徴とする請求項４に記載の棚装置。
【請求項６】
前記表面板がステンレス鋼板で形成されていることを特徴とする請求項１ないし５のいずれかに記載の棚装置。
【請求項７】
前記壁面には、ハンガーレールが固着され、該ハンガーレールと前記棚板の後端縁とが連結されていることを特徴とする請求項１ないし６のいずれかに記載の棚装置。
【発明の詳細な説明】
【技術分野】
【０００１】
本発明は、壁面に取り付けられた棚板の下方に電気機器が設けられた棚装置に関する。
【背景技術】
【０００２】
従来、壁面に棚板を取り付ける際に、壁面に固着させた棚受け具本体（取付金具）によって棚板の後端縁を支持するとともに、棚板の前端側で棚板の下面を支持する調整ボルトを棚受け具本体に設け、調整ボルトの上下方向位置の調整を行うことで、棚板の前後方向の傾斜角度の微調整を行えるようにしたものがある（例えば、特許文献１参照）。
【０００３】
また、洗面化粧台等の近傍の壁面に取り付けられたスイッチボックス（電気機器）の上面と壁面に取り付けた鏡固定部材の下端との間で、棚板の壁面側を挟み込むようにして棚板を支持することで、棚板の手前側へ張り出した部分に物を載置しても棚板の後端側が浮き上がらないようにしているものがある（例えば、特許文献２参照）。
【０００４】
【特許文献１】特開２００４−１７３８７１号公報（第４頁、第１図）
【特許文献２】特開２００５−１９２８４２号公報（第４頁、第１図）
【発明の開示】
【発明が解決しようとする課題】
【０００５】
しかしながら、特許文献１に記載の棚受け具にあっては、調整ボルトのボルト頭が棚板の下面に当接されることで棚板が支持されるので、調節ボルトによる棚板の傾斜角度の微調整を、棚板が棚受け具本体（取付金具）に取り付けられる前に行う必要があり、棚板の自重によって棚板の前端側が下がるように傾斜した場合などには、その傾斜角度の微調整を行い難いばかりか、調整ボルトによる棚板の傾斜角度の微調整を行ったときに、棚板と棚受け具本体との間に生じる隙間が、棚板の前面側や側面側から露呈されてしまうため、棚板の見栄えが悪くなる。
【０００６】
また、特許文献２に記載の棚板の取付構造にあっては、棚板の下面に配置されるスイッチボックス（電気機器）が、棚板の前面側や側面側から露出されてしまうため見栄えが悪いばかりか、洗面化粧台からの水撥ねによって棚板の上面が水濡れした場合に、その水が棚板の端縁を伝ってスイッチボックスを濡らしてしまい、スイッチボックス内の電気設備等が短絡してしまう虞がある。
【０００７】
本発明は、このような問題点に着目してなされたもので、前後方向の傾斜の調整を行える棚板が壁面に固定され、その棚板の下方に電気機器が設けられた棚装置において、棚板を見栄えよく壁面に取り付けることができ、かつ電気機器等の水濡れを防止できる棚装置を提供することを目的とする。
【課題を解決するための手段】
【０００８】
前記課題を解決するために、本発明の請求項１に記載の棚装置は、
壁面に突設された取付金具により棚板が下方側から支持されるとともに、該棚板の下方に電気機器が設けられ、前記棚板と前記取付金具との間に、該取付金具に対する前記棚板の前後方向の傾斜角度の調整を行う調整手段が設けられた棚装置であって、
前記棚板には、該棚板の表面を覆う表面板が設けられており、該表面板は、前記棚板の上面を覆う上面部と、前記棚板の前端面及び左右側端面を覆う側周面部と、を少なくとも有し、該側周面部の下端は、少なくとも前記棚板の下面よりも下方位置まで延設され、該側周面部により前記取付金具及び前記電気機器の少なくとも一部が隠蔽されるようになっていることを特徴としている。
この特徴によれば、棚板を取付金具にて支持した状態において、表面板の側周面部によって、棚板の下方に配置される取付金具や電気機器だけでなく、調整手段によって棚板と取付金具との間に生じる隙間等も隠蔽され、これらが外部に露呈されることがないので、棚装置の外観体裁が効果的に向上するとともに、水撥ね等によって棚装置の上面が水濡れした場合であっても、水滴は棚板上面から側周面部を伝い落ち、棚板の下面側に周り込むことがないため、電気機器や取付金具の水濡れが防止される。
【０００９】
本発明の請求項２に記載の棚装置は、請求項１に記載の棚装置であって、
前記調整手段が、前記棚板の下方側からの操作によって前記棚板の前後方向の傾斜角度の調整を行うことができることを特徴としている。
この特徴によれば、表面板に覆われていない棚板の下面側から調整手段による調整を行うことができることで、棚板を取付金具に取り付けた後であっても、棚板の前後方向の傾斜角度の調整を行うことができる。
【００１０】
本発明の請求項３に記載の棚装置は、請求項１または２に記載の棚装置であって、
前記調整手段が、前記取付金具の前端側に設けられた上下方向に貫通する雌ネジ穴と、該雌ネジ穴よりも下端に設けられた操作部を介して回転させることで前記棚板が上下動するように、前記雌ネジ穴に螺入されたネジ部材と、から構成されていることを特徴としている。
この特徴によれば、取付金具の下方側から操作部を介してネジ部材を回転させ、雌ネジ穴からのネジ部材の突出長を調整することができるため、棚板を取付金具から取り外すことなく、棚板の取付金具に対する前後方向の傾斜角度を容易に調整することができると共に、ネジ山による連続した上下移動のため、微小の高さ調整が確実にできる。
【００１１】
本発明の請求項４に記載の棚装置は、請求項１ないし３のいずれかに記載の棚装置であって、
前記側周面部の下端に、内方に向けて屈曲された屈曲部が形成されていることを特徴としている。
この特徴によれば、側周面部の下端に使用者が手を触れても怪我する虞がなくなり、安全である。
【００１２】
本発明の請求項５に記載の棚装置は、請求項４に記載の棚装置であって、
前記取付金具は、前記棚板の下面の左右側部を支持する左右一対の取付金具からなり、該取付金具が前記屈曲部内に配置されることを特徴としている。
この特徴によれば、棚装置を下方側から見た場合であっても、取付金具が側部に近く、側周面部の屈曲部によって取付金具が隠蔽されるので、棚装置の見栄えが向上する。
【００１３】
本発明の請求項６に記載の棚装置は、請求項１ないし５のいずれかに記載の棚装置であって、
前記表面板がステンレス鋼板で形成されていることを特徴としている。
この特徴によれば、棚装置を長期にわたり使用したときに表面板に発生する錆びやカビ等を防止できると共に、側周面部がステンレス鋼板の厚みに見えるため、重厚感を醸しだすことができる。
【００１４】
本発明の請求項７に記載の棚装置は、請求項１ないし６のいずれかに記載の棚装置であって、
前記壁面には、ハンガーレールが固着され、該ハンガーレールと前記棚板の後端縁とが連結されていることを特徴としている。
この特徴によれば、ハンガーレールに物品を吊り下げて収納することで、棚装置の下方の空間を有効に利用でき、かつハンガーレールに棚板の後端縁が連結されているので、棚板の後端縁の浮き上がりを防止できる。
【発明を実施するための最良の形態】
【００１５】
本発明に係る棚装置を実施するための最良の形態を実施例に基づいて以下に説明する。
【実施例】
【００１６】
本発明の実施例を図面に基づいて説明すると、先ず図１は、実施例における棚装置を示す斜視図であり、図２は、図１における棚装置を示すＡ−Ａ縦断側面図であり、図３は、図１における棚装置を示すＢ−Ｂ縦断側面図であり、図４は、図１における棚装置を示すＣ−Ｃ縦断前面図であり、図５は、棚装置の組み立て方を示す斜視図であり、図６は、調整手段としてのネジ部材を示す拡大縦断側面図である。以下、図１及び図５の紙面左下方側を棚装置の前面側とし、図２、図３及び図６の紙面左側を棚装置の前面側とし、図４の紙面手前側を棚装置の前面側として説明する。
【００１７】
図１の符号１は、本発明の適用された棚装置であり、この棚装置１はキッチン台（図示略）等の近傍の壁面２に取り付けられている。棚装置１は、壁面２に取り付けられた取付金具３に支持される棚板４を有し、この棚板４の前端側の下面には、蛍光灯５と、蛍光灯５を点灯させるためのスイッチボックス６とを有する本実施例における電気機器としての照明器具７が取り付けられており（図３参照）、棚板４の表面は表面板８によって覆われている。
【００１８】
図２に示すように、取付金具３は、矩形状の金属板の長手が前後方向を向き、その後端部が壁面２にネジ部材９によって固定され、壁面２から前方側に突出するように配置された片持ち梁構造となっており、その前後方向の長さが棚板４の前後方向の長さの略半分になっている。
【００１９】
尚、取付金具３は、前面視で略Ｌ字形状をなし（図４参照）、取付金具３の上面に棚板４の下面が載置されるようになっている。棚板４は、パーティクルボード等の材質で形成されており、その下面における左右両側部が、左右一対の取付金具３によって支持される（図１参照）。
【００２０】
取付金具３の上面前端側には、上下方向に貫通された雌ネジ穴１０が設けられている。この雌ネジ穴１０には、ドライバー等の工具が嵌合可能な溝（図示略）が形成された操作部１２ａ（頭部）が下端に設けられたネジ部材１２が、下方側から螺入されるようになっており、該雌ネジ穴１０に螺入されて上方に突出されたネジ部材１２の先端（上端）が、棚板４の下面における前記雌ネジ穴１０に対応する箇所に埋設された鬼目ナット１１の頭部１１ａ下面に当接するようになっている（図６参照）。つまり、本実施例では、取付金具３に形成された雌ネジ穴１０とネジ部材１２とで本発明における調整手段が構成されている。
【００２１】
尚、ネジ部材１２の先端が当接しうる箇所に鬼目ナット１１を埋設しているのは、比較的軟質のパーティクルボードからなる棚板４の下面が、ネジ部材１２の先端により局所的に押圧されて凹まないように補強するためであり、特に棚板４が樹脂板等の硬質材からなるときは、鬼目ナット１１等を設けなくてもよい。また、鬼目ナット１１の替わりに鉄片等を設けて補強するようにしてもよい。
【００２２】
また、本実施例では、ネジ部材の一例として、下端にドライバー等の工具が嵌合可能な溝（マイナス溝、プラス溝等）が形成された操作部１２ａが設けられたネジ部材１２が適用されていたが、作業者がネジ部材を回転操作可能な操作部が下端に形成されたネジ部材であれば、例えば操作部として下端に六角レンチを嵌合可能な六角穴が形成されたネジ部材や、手作業により回転操作が可能な蝶ねじ等を適用してもよい。
【００２３】
棚装置１を組み立てる際には、作業者が取付金具３の下方からドライバー等をネジ部材１２の操作部１２ａに取り付けてネジ部材１２を回動させ、雌ネジ穴１０から突出されたネジ部材１２の先端（上端）の突出長を調整することで、取付金具３に対する棚板４の前後方向の傾斜角度の調整を行うことができる。また、左右に配置されている取付金具３の各々に設けられているネジ部材１２の突出長を変えることで、棚板４の左右方向の傾斜角度の調整も行うことができる。
【００２４】
また、ネジ部材１２が雌ネジ穴１０に下方側から螺入されていることで、棚板４を取付金具３に取り付けた後であっても、取付金具３に対する棚板４の前後方向の傾斜角度の調整を行うことができる。尚、本実施例では、ネジ部材１２の先端が棚板４の下面に埋設された鬼目ナット１１の頭部１１ａ下面に当接するようになっていたが、特に図示はしないが、例えばネジ部材１２の先端部を棚板４に対して回転可能に、かつ逸脱不能に連結すれば、棚板４の前端側の浮き上がりが防止される。
【００２５】
図１及び図３に示すように、取付金具３の上面における後端側には、金属板を略角柱状に屈曲して形成した補助金具１３の一端がネジ部材１４によって取り付けられている。補助金具１３は長手が左右方向を向き、左右に並んで２つ配置され、その背面側がネジ部材１５によって壁面２に固着されている。
【００２６】
図３に示すように、左右一対の取付金具３同士の間の壁面２には、例えばキッチン台（図示略）で使用される調理器具（図示略）等を吊り下げるフック１６を有するハンガー１７を懸架することができるハンガーレール１８が取り付けられている。ハンガーレール１８は長手が左右方向を向き、その背面側がネジ部材１９によって壁面２に固着されている。また、ハンガーレール１８の上面後側における左右側端部は、補助金具１３にネジ部材２０によって固定されており（図４参照）、ハンガーレール１８は補助金具１３を介して取付金具３と連結されている（図１参照）。
【００２７】
更に、ハンガーレール１８に懸架されるハンガー１７の上端には、ハンガーレール１８に形成された左右方向を向く案内溝２１に取り付けられる支持駒２２が設けられており、この支持駒２２が案内溝２１に沿って左右方向にスライド移動することで、ハンガー１７を左右方向にスライド移動させることができ、ハンガー１７に吊り下げられた調理器具（図示略）をキッチン台（図示略）の使用者が使い易い位置に懸架させておくことができる。そのため棚装置1の下方の空間を有効に利用できる。
【００２８】
尚、ハンガーレール１８の案内溝２１は側面視で４５°斜め下方側に開口されており、ハンガー１７が斜め下方側に突出された状態で懸架される。また、支持駒２２は案内溝２１の開口より挿入可能な形状となっており、挿入後においてほぼ９０°回動させることにより、案内溝２１に形成された上下１対の係合片２３に係合される。そのため支持駒２２は案内溝２１に着脱自在に取り付けられるようになっており、使用者が使い易い数だけハンガー１７を懸架することができる。
【００２９】
また、ハンガーレール１８の上面と、棚板４の下面における後端側とがネジ部材２４によって連結されるようになっており、ハンガーレール１８と棚板４とを連結させる際には、ハンガーレール１８の下方から案内溝２１内にネジ部材２４を挿入して、ハンガーレール１８の上面に形成された雌ネジ穴２５にネジ部材２４を螺合させた後、ネジ部材２４を棚板４の下面に螺合させるようになっている。
【００３０】
このように、棚板４の左右端部を下方から支持する左右一対の取付金具３，３間に配設されたハンガーレール１８の上面に、棚板４の後端縁の長手方向における複数箇所がネジ部材２４により連結されているので、棚板４の後端縁の浮き上がりを防止でき、棚板４が自重によって前方側が下がるように傾斜されてしまうことを防ぐことができる。
【００３１】
棚板４の上面は、ステンレス鋼板で形成された表面板８の上面部にて覆われており、この表面板８の前面側及び左右側の縁辺からは、棚板４の前端面及び左右側端面を覆うように下方に屈曲して延設された側周面部２６（屈曲片）が形成されている。側周面部２６の下端は、棚板４の下面よりも下方、詳しくは、棚板４の下面に配設された取付金具３及び照明器具７の下端まで延設されており、この棚板４の前端面及び左右側端面を覆う側周面部２６によって、棚装置１を前面側及び側面側から見たときに、棚板４の下面左右端部を支持する取付金具３及び照明器具７が隠蔽されるようになっている。
【００３２】
図４に示すように、側周面部２６の下端側は内方側に屈曲されて上向き略コ字形の屈曲部２７が形成されている。この屈曲部２７が形成されていることにより、側周面部２６の下端が鈍角な形状となり、棚装置１の下方から使用者の手などがぶつかっても、側周面部２６の下端の屈曲部２７に手がぶつかるので、怪我する虞がなくなり、安全である。
【００３３】
また、取付金具３は屈曲部２７の内部（屈曲部２７の上方位置）に配置され、棚装置１を下方側から見た場合であっても、取付金具３が側部に近く、側周面部２６の屈曲部２７によって取付金具３が隠蔽されるようになっている。
【００３４】
このように、棚板４の上面を覆う上面部及び前端面及び左右側端面を覆う側周面部２６からなる表面板８は１枚のステンレス鋼板を屈曲形成することにより形成されており、側周面部２６における角部２６ａは前面側及び側面側の側周面部２６が互いに溶接された後、表面が研磨されている。つまり、前述のように棚板４の上面を覆う上面部及び前端面及び左右側端面を覆う側周面部２６により下面が開口する箱状に構成された表面板８により、図１に示すように、棚板４、照明器具７、取付金具３及びハンガーレール１８が外側から一体的に覆われるとともに、背面側は壁面２にて覆われていることで、棚装置１の周囲から見えないように隠蔽されるため、棚装置１の外観体裁が向上する。尚、表面板８がステンレス鋼板で形成されていることで、棚装置１を長期にわたり使用したときに表面板８に発生する錆びやカビ等を防止できると共に、側周面部２６がステンレス鋼板の厚みに見えるため、重厚感を醸しだすことができる。
【００３５】
また、図６に示されるように、調整手段としてのネジ部材１２の回動によって、棚板４と取付金具３との間に隙間等が生じた場合でも、側周面部２６によって該隙間が隠蔽されて外部に露呈することがないばかりか、キッチン台（図示略）からの水撥ねなどによって、棚装置１の上面が水濡れした場合であっても、水滴は表面板８の上面から側周面部２６の表面を伝い落ち、棚板４の下面側に周り込むことがなく、照明器具７や取付金具３が濡れることがないので、照明器具７の短絡が防止される。更に、棚板４の水濡れも防止されるので、棚板４に発生するカビなどを防止できる。
【００３６】
図１に示すように、照明器具７の左右方向の長さは、棚板４及び表面板８の左右方向の長さよりも短くなるように形成さており、照明器具７の左右両端部と取付金具３との間には、照明器具７まで延設される電気ケーブル（図示略）の配線スペースが確保されるようになっている。
【００３７】
ここで、棚装置１を壁面２に取り付ける際の組み立て方について説明すると、図５に示すように、先ずハンガーレール１８の左右に補助金具１３を取り付け、補助金具１３の端部に取付金具３を取り付ける。そして、取付金具３とハンガーレール１８と補助金具１３とを一体的に連結させた状態で、これらを壁面２にネジ部材９，１５，１９を用いて固着させる。
【００３８】
一方、棚板４には、予めその上面に両面テープ（図示略）を貼り付けて、側周面部２６や屈曲部２７が形成された表面板８を貼着しておく。そして、棚板４の下面に照明器具７を取り付け、棚板４及び表面板８と照明器具７とを一体化した状態で、壁面２の前方側から取付金具３に向かって移動させ、左右一対の取付金具３を左右の屈曲部２７内に嵌め込むようにして表面板８の後端縁を壁面２に当接させる。
【００３９】
更に、ネジ部材１２，２４を棚装置１の下方側から取付金具３やハンガーレール１８に形成された雌ネジ穴１０，２５に螺合し、ネジ部材１２，２４の先端を棚板４の下面に螺合させることで、取り付けが完了する。
【００４０】
尚、ここで取付金具３に対する棚板４及び表面板８の前後方向の傾斜角度の微調整を行う場合には、ネジ部材１２の下端に設けられた操作部１２ａを、ドライバー等の工具を介して棚板４の下方側から回転操作すればよい。すなわち、表面板８に覆われていない棚装置１の下面側からネジ部材１２による傾斜角度の調整が行えるので、棚装置１の組立後、具体的には、表面板８により上面、前端面、左右側端面が覆われた棚板４を取付金具３にて支持した後であっても、取付金具３に対する棚板４の傾斜角度の調整を容易に行えるばかりか、調整の精度を向上させることができる。また、ネジ部材１２に形成された螺旋状のネジ山によって、段階的ではなく連続的に棚板４の傾斜角度が変化されるので微小の高さ調整が行える。
【００４１】
更に、棚板４の前端側の下面に取り付けられた照明器具７の重量によって、棚板４が前方側が下がるように傾斜されても、ネジ部材１２を操作することによって傾斜角度の微調整を行ことができる。尚、本実施例の棚装置１は、外観体裁を向上させるために、片持ち梁構造の取付金具３の上下方向の幅が、側周面部２６に隠蔽される程度の幅に形成されており、照明器具７の重量によって取付金具３の前方側が下方に傾き易くなっているが、傾斜角度の微調整を行うことで、棚板４の上面を水平に保つことができるとともに、取付金具３が傾く（湾曲される）ことによって取付金具３内に発生する応力を利用して棚板４及び照明器具７を支持できるようになり、取付金具３の上下幅を小さく形成したり、取付金具３の軽量化を行うことができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、取付金具３の前端側に設けられた雌ネジ穴１０に螺合させたネジ部材１２によって棚板４の前後方向の傾斜角度の微調整を行っていたが、取付金具３のネジ部材１２以外にも、ハンガーレール１８の雌ネジ穴２５に螺合させたネジ部材２４の先端の突出長を変えることで、棚板４の傾斜の調整を行うようにしてもよい。
【００４４】
また、前記実施例では、棚板４の下面に取り付けられる電気機器として蛍光灯５を有する照明器具７が用いられていたが、その他にも、電源コンセントや温風ヒータなどの電気機器であってもよい。
【００４５】
更に、前記実施例では、棚装置１を、キッチン台の近傍の壁面２に取り付けた例を記載したが、その他にも、洗面台の近傍の壁面や作業台の近傍の壁面などに取り付けるようにしてもよい。
【図面の簡単な説明】
【００４６】
【図１】実施例における棚装置を示す斜視図である。
【図２】図１における棚装置を示すＡ−Ａ縦断側面図である。
【図３】図１における棚装置を示すＢ−Ｂ縦断側面図である。
【図４】図１における棚装置を示すＣ−Ｃ縦断前面図である。
【図５】棚装置の組み立て方を示す斜視図である。
【図６】調整手段としてのネジ部材を示す拡大縦断側面図である。
【符号の説明】
【００４７】
１                棚装置
２                壁面
３                取付金具
４                棚板
７                照明器具（電気機器）
８                表面板
１０              雌ネジ穴（調整手段）
１２              ネジ部材（調整手段）
１２ａ            操作部
１８              ハンガーレール
２６              側周面部
２７              屈曲部
【図１】
2007289317.tif 000003
【図２】
2007289317.tif 000004
【図３】
2007289317.tif 000005
【図４】
2007289317.tif 000006
【図５】
2007289317.tif 000007
【図６】
2007289317.tif 000008